(57)【要約】【課題】  電機子巻線内の循環電流を低減し、温度の均一化を図る。【解決手段】  本発明では、上記課題を解決するために少なくとも２列多段に素線が束ねられた素線群と、該素線群の周囲を覆う主絶縁とを備え、前記素線が転移されている電機子巻線であって、前記素線群の断面における上部および下部側の前記素線を通過する電流の流通抵抗を、中央部側の前記素線を通過する電流の流通抵抗より大きくするか、もしくは、前記複数の素線群のうち少なくとも一つの素線群を通過する電流の流通抵抗を、他の素線群を通過する電流の流通抵抗より大きくしたことを特徴とする。【選択図】図２
2005160261.tif 000002
【特許請求の範囲】
【請求項１】
少なくとも２列多段に素線が束ねられた素線群と、該素線群の周囲を覆う主絶縁とを備え、前記素線が転移されている電機子巻線であって、前記素線群の断面における上部および下部側の前記素線を通過する電流の流通抵抗を、中央部側の前記素線を通過する電流の流通抵抗より大きくしたことを特徴とする電機子巻線。
【請求項２】
少なくとも２列多段に素線が束ねられた素線群と、該素線群の周囲を覆う主絶縁とを備え、前記素線が転移されている電機子巻線であって、前記素線群の断面における上部および下部側の素線断面積が、中央部側の素線断面積より小さく形成されていることを特徴とする電機子巻線。
【請求項３】
少なくとも２列多段に素線が束ねられた素線群と、該素線群の周囲を覆う主絶縁とを備え、前記素線が中実素線と冷却媒体が通る中空素線とから成り、かつ、これらの素線が転移されている電機子巻線であって、前記素線群の断面における上部及び下部側に前記中空素線を集中的に配置し、中央部に中実導体を集中的に配置したことを特徴とする電機子巻線。
【請求項４】
少なくとも２列多段に素線が束ねられた素線群と、該素線群の周囲を覆う主絶縁とを備え、前記素線が中実素線と冷却媒体が通る中空素線とから成り、かつ、これらの素線が転移されている電機子巻線であって、前記素線群の断面における上部側にのみ前記中空素線を配置し、他には前記中実導体を配置したことを特徴とする電機子巻線。
【請求項５】
少なくとも２列多段に素線が束ねられた複数の素線群と、該複数の素線群の周囲を覆う主絶縁とを備え、前記素線が転移されている電機子巻線であって、前記複数の素線群のうち少なくとも一つの素線群を通過する電流の流通抵抗を、他の素線群を通過する電流の流通抵抗より大きくしたことを特徴とする電機子巻線。
【請求項６】
少なくとも２列多段に素線が束ねられた複数の素線群と、該複数の素線群の周囲を覆う主絶縁とを備え、前記素線が転移されている電機子巻線であって、前記複数の素線群の断面における少なくとも一つの素線群の素線断面積が、他の素線群の素線断面積より小さいことを特徴とする電機子巻線。
【請求項７】
少なくとも２列多段に素線が束ねられた複数の素線群と、該複数の素線群の周囲を覆う主絶縁とを備え、前記素線群の素線が中実素線と冷却媒体が通る中空素線とから成り、かつ、これらの素線が転移されている電機子巻線であって、前記複数の素線群のうち少なくとも一つの素線を通過する電流の流通抵抗を、他の素線群を通過する電流の流通抵抗より大きくしたことを特徴とする電機子巻線。
【請求項８】
少なくとも２列多段に素線が束ねられた複数の素線群と、該複数の素線群の周囲を覆う主絶縁とを備え、前記素線群の素線が中実素線と冷却媒体が通る中空素線とから成り、かつ、これらの素線が転移されている電機子巻線であって、前記複数の素線群の断面における少なくとも一つの素線群の素線断面積が、他の素線群の素線断面積より小さいことを特徴とする電機子巻線。
【請求項９】
少なくとも２列多段に素線が束ねられた複数の素線群と、該複数の素線群の周囲を覆う主絶縁とを備え、前記素線群の素線が中実素線と冷却媒体が通る中空素線とから成り、かつ、これらの素線が転移されている電機子巻線であって、前記複数の素線群のうち、少なくとも一つの素線群における中空素線の通水面積が、他の素線群における中空素線の通水面積より小さいことを特徴とする電機子巻線。
【請求項１０】
少なくとも２列多段に素線が束ねられた複数の素線群と、該複数の素線群の周囲を覆う主絶縁とを備え、前記素線群の素線が中実素線と冷却媒体が通る中空素線とから成り、かつ、これらの素線が転移されている電機子巻線であって、前記複数の素線群のうち、少なくとも一つの素線群の断面における上部及び下部側に前記中空素線を、中央部に中実素線を配置し、他の素線群は前記中実素線と中空素線が混在して配置されていることを特徴とする電機子巻線。
【請求項１１】
少なくとも２列多段に素線が束ねられた３つの素線群と、該３つの素線群の周囲を覆う主絶縁とを備え、前記素線が中実素線と冷却媒体が通る中空素線とからなり、かつ、これら素線が転移されている電機子巻線であって、前記３つの素線群のうち中央に位置する素線群の素線断面積より一方側に位置する素線群の素線断面積が小さく、他方側に位置する素線群の素線断面積が大きいことを特徴とする電機子巻線。
【請求項１２】
回転子鉄心、該回転子鉄心のスロット内に格納される界磁巻線からなる回転子と、該回転子と所定ギャップをもって対向配置され、固定子鉄心、該固定子鉄心のスロット内に格納される電機子巻線からなる固定子とを備えた回転電機であって、前記電機子巻線が請求項１乃至１１のいずれか一つに記載のものであることを特徴とする回転電機。
【請求項１３】
回転子鉄心、該回転子鉄心のスロット内に格納される界磁巻線からなる回転子と、該回転子と所定ギャップをもって対向配置され、固定子鉄心、該固定子鉄心のスロット内に格納される電機子巻線からなる固定子とを備えた回転電機であって、前記電機子巻線はスロット内に格納される底コイルと上コイルとからなり、前記底コイル及び上コイルは請求項７乃至９のいずれか一つに記載の電機子巻線であることを特徴とする回転電機。
【請求項１４】
回転子鉄心、該回転子鉄心のスロット内に格納される界磁巻線からなる回転子と、該回転子と所定ギャップをもって対向配置され、固定子鉄心、該固定子鉄心のスロット内に格納される電機子巻線からなる固定子とを備えた回転電機であって、前記電機子巻線はスロット内に格納される底コイルと上コイルとからなり、前記底コイルは請求項７乃至９のいずれか一つに記載の電機子巻線であり、前記上コイルは前記底コイルとは素線群が逆配置された電機子巻線であることを特徴とする回転電機。
【発明の詳細な説明】
【技術分野】
【０００１】
本発明は電機子巻線及びそれを用いた回転電機に係り、例えばタービン発電機の電機子巻線の如く、変動磁界にさらされるものに好適な電機子巻線及びそれを用いた回転電機に関するものである。
【背景技術】
【０００２】
従来のタービン発電機の電機子巻線については、たとえば米国特許第２８２１６４１号公報に記載されている。この米国特許第２８２１６４１号公報に記載の例では、図１７に示すように、複数多段に配置されている素線を途中で転移させ、その素線と素線の転移角度を、図１８に示すごとく３６０度，５４０度など機種の出力や機械的な寸法により決定してスロット内に配置し、スロット内での鎖交磁束を打ち消すことで素線間に流れる循環電流損を低減してきた。具体的には図１７に示すように、右列の最上段に位置する素線
１１を左列の最上段、つまり素線１（２ｎ）の上に転移し、さらにその上部に右側の素線１２，１３と連続的に転移することにより、巻線全体をより線構造としてきた。また、転移角度は図１８に示すごとく、軸端部Ｉから巻き始めた素線１１，１５が転移され、一周して軸端部IIで同じ位置に戻ってくる３６０°転移や、更に半周分余分に転移した540°転移が使用される。このとき、３６０°や５４０°といった角度と転移のピッチは、固定子鉄心３０内で巻線間に鎖交する磁場を相殺するように選定される。たとえば素線１１と１５の間に鎖交する磁束φ31とφ33の合計が、逆方向に鎖交する磁束φ32と等しくなるように選ぶ。
【０００３】
また、特開昭４７−１２５１３号公報にもタービン発電機の電機子巻線が記載されているが、この例は、図１９に示すごとく、２列転移された素線群１の外側に２列の素線群２を配置し、素線群１を囲むように素線２１，２２，２３等を転移している。これにより径方向磁束φr2による循環電流損を低減するようにしている。
【０００４】
【特許文献１】米国特許第２８２１６４１号公報
【特許文献２】特開昭４７−１２５１３号公報
【発明の開示】
【発明が解決しようとする課題】
【０００５】
上記従来技術（米国特許第２８２１６４１号公報）では、素線転移した素線群であっても、図１８に示す如く３６０°の転移では端部Ｉで鎖交する磁束φ1と端部IIで鎖交する磁束φ2 が互いに同極性であるため、素線１１，１５等の作る閉ループ内には(φ1＋φ2)の磁束が鎖交する。また、５４０°の転移を施した場合では、素線１１，１５の端部Ｉで鎖交する磁束φ1 と端部IIで鎖交する磁束φ2 が互いにうち消しあう極性ではあるが、端部Ｉと端部IIでは素線の径方向位置が異なることから、それぞれの磁場φ1 とφ2 の大きさは等しくはない。つまり、磁場強さの差分（φ1−φ2）に相当する鎖交磁束は残ることになり、素線１１，１５を周回して流れる循環電流をすべて相殺することは困難である。このように、素線間を循環する成分の電流が少なからず存在する。
【０００６】
また、素線断面積を大きくとる必要がある場合には、転移した素線群を並列に複数個並べた図２０の様な巻線を使用していた、このような構造では、素線群１と素線群２の間に鎖交する径方向磁束φr2を相殺することが全くできないので、素線間を循環する電流はさらに大きくなる。
【０００７】
一方、上記径方向磁束を低減するための従来技術である特開昭４７−１２５１３号公報では、図１９のごとく素線１１を取り囲むように素線群２を二重に配置した複雑な構造となっており、製作に工数がかかる。また、たとえば素線１１が素線１（２ｎ）の上に転移され、段差の上で更に素線２１を転移する必要があり、素線間のギャップを均一に保つことが困難となっていた。このため、適切な絶縁強度が保てなかった。
【０００８】
本発明の目的は、上記問題点を解消した電機子巻線及びそれを用いた回転電機を提供することにある。
【課題を解決するための手段】
【０００９】
本発明は、上記目的を達成するために少なくとも２列多段に素線が束ねられた素線群と、該素線群の周囲を覆う主絶縁とを備え、前記素線が転移されている電機子巻線であって、前記素線群の断面における上部および下部側の前記素線を通過する電流の流通抵抗を、中央部側の前記素線を通過する電流の流通抵抗より大きくしたことを特徴とする。
【００１０】
さらに、本発明は、少なくとも２列多段に素線が束ねられた複数の素線群と、該素線群の周囲を覆う主絶縁とを備え、前記素線が転移されている電機子巻線であって、該複数の素線群のうち少なくとも一つの素線群を通過する電流の流通抵抗を、他の素線群を通過する電流の流通抵抗より大きくしたことを特徴とする。
【発明の効果】
【００１１】
本発明によれば、回転電機の電機子巻線内の循環電流を低減し、温度の均一化を図ることができる。
【発明を実施するための最良の形態】
【００１２】
本発明の実施の形態を説明するために、本発明が適用されるタービン発電機の概略構造を図１を用いて説明する。尚、図１に示す基本構造は、冷却流体の種類にはよらない。
【００１３】
図１に示す如く、回転子５１は固定子枠６０に回転軸５０によって回転保持される。回転子５１は内部に界磁巻線（図示せず）を有し磁極となる。一方、回転子５１と所定ギャップをもって対向配置される固定子を構成する固定子鉄心３０は、軸方向両端をエンドクランプ３１で保持され、固定子枠６０に固定される。電機子巻線１０，２０は、固定子鉄心３０の軸方向に延び、周方向に所定間隔を複数設けられた各スロット内に格納される。なお、水冷発電機の場合には、電機子巻線１０，２０の軸端部に冷却水入り口流路６１、反対側に冷却水出口流路６２を設け、電機子巻線１０，２０を構成する図３に示すような中空の素線１１，１４等の中を軸方向に通水することで、電機子巻線１０，２０を直接冷却している。
【００１４】
通常、電機子巻線１０，２０は、図２に示すようにたとえばｎ段，ｍ列の素線からなる素線群を主絶縁４で覆って構成される。主絶縁４は、巻線内部と外部の間の電気絶縁を保つための構造物であり、マイカや樹脂で構成されることが多い。図２は、ｍ＝４，ｎ＝
２２の例で、電機子巻線１０または２０を軸と直角方向に断面して示し、素線１を第１列の１段目からｎ段目まで１１，１２…１ｎと番号付けしている。ここで、ｍ，ｎはいずれも任意の整数であり、通常は、図１７に示すように、２列毎に転移されて素線群を形成する。４列の電機子巻線でも、図２０に示すごとく、素線群１と２に分けて２列毎に転移されるし、６列以上の場合でも同様である。
【実施例１】
【００１５】
図２に本発明の電機子巻線の第１の実施例を示す。第１の実施例では、図１に示すタービン発電機において、主絶縁４に覆われた電機子巻線１０を構成する素線群２は、各素線
２１，２２，…，２ｎの断面積を、素線群１の各素線１１，１２，…，１ｎの断面積より小さくすることにより、電流の流通抵抗を素線群１よりも大きくしている。この効果と原理を以下に示す。
【００１６】
通常の電機子巻線は、図１６に示すように、２列の素線１１，１２，…，１ｎ，１（ｎ＋１），…，１（２ｎ）からなる素線群１と同じく２列の素線２１，２２，…，２ｎ，
２（ｎ＋１），…，２（２ｎ）からなる素線群２からなり、素線群１と、素線群２は同一の断面形状を有している。ここで、素線群１および素線群２内の素線はそれぞれ３６０°，５４０°などの転移角で転移されており、固定子鉄心３０内で鎖交する磁場を相殺するように構成されている。転移の様子は図２０に示した通りである。
【００１７】
素線群，素線と鎖交磁束の関係を図１１，図１２を用いて説明する。図１１は、４列素線を使用した電機子巻線全長のイメージを示す図である。固定子鉄心内では、図２０のごとく２列毎に素線転移されるが、素線群１と素線群２の間には転移が施されず、径方向磁束φr2が素線群間に作用する。また、転移が施されるのは固定子鉄心内のみで、端部では転移を施していない。両素線群は、最端部で互いに接続される。ここでは、それぞれの素線群から代表的な素線１１，１５，２１，２５を選んで説明する。転移角度は５４０°の例である。図１１，図１８に示す如く、ここで、素線群１内の素線同士はスロット内での鎖交磁束が０となるように転移が施されているため、φr2，φt2などの磁場によって素線１１，１５の間に循環電流が誘導されることはない。一方、端部Ｉと端部IIの磁場に関していえば、素線１１と１５の上下関係が入れ替わっているため、端部Ｉでの周方向磁束
φt1と端部IIにおける周方向磁束φt3は素線１１と素線１５に逆極性に作用する。但し、磁場が径方向位置によって変わるため、鎖交磁束は完全には相殺されず、若干の循環電流が流れる。素線群２の素線２１，２５に関しても同様である。
【００１８】
次に、素線群１と素線群２の間に鎖交する磁束の影響について述べる。これらの二つの素線群は互いに転移されておらず、ふたつの素線群の間には、スロット内の径方向鎖交磁束φr1と、端部の径方向磁束φr2，φr3の合計が鎖交する。素線電流の回路図として示したのが図１２である。ここで電流Ｉ0は電機子巻線全体の電流Ｉを素線数で割ったものであり、素線の平均電流である。Ｉ1〜Ｉ3は前述したそれぞれの閉ループに鎖交する磁束によって生じる循環電流を示す。素線１１と１５の間および素線２１と２５の間には、それぞれ周方向磁束φt1−φt3が鎖交し、これをうち消す向きの循環電流Ｉ1，Ｉ2が誘導される。一方、素線群１と素線群２の間つまり、素線１１，１５と素線２１，２５の間には、径方向磁束φr1〜φr3が鎖交し、これをうち消す向きの電流Ｉ3 が誘導される。つまり、素線１１，１５，２１，２５に流れる電流はそれぞれ下記となる。
（数１）
Ｉ11＝Ｉ0＋Ｉ1＋Ｉ3
Ｉ15＝Ｉ0−Ｉ1＋Ｉ3
Ｉ21＝Ｉ0＋Ｉ2−Ｉ3
Ｉ25＝Ｉ0−Ｉ2−Ｉ3
各素線に流れる電流としては、
（数２）
Ｉ11＞Ｉ15＞Ｉ21＞Ｉ25
となり、素線毎に電流値が変わることがわかる。
【００１９】
このとき、従来構造での素線電流分布のイメージは図１４となる。素線電流の大きな素線群１の発熱が大きく、素線群２の発熱が小さい。ここで、５４０°トランスポジションでは、素線の位置と端部での鎖交磁束の関係から巻線の上部と下部で発熱が大きくなる。このため、素線群が一つしかない場合にも図１３の様に電流分布が生じ、温度が不均一になる。一方、実施例１では、素線群２の電流の流通抵抗を第１の素線群より小さくしている。これにより、素線群１，２を循環する閉ループの抵抗が大きくなるに従って、循環電流Ｉ3 を低減できる。Ｉ3 が小さくなると、数１で示すようにＩ11，Ｉ15を低減することができ、素線群１の発熱が低減する。素線群２は、抵抗が大きくなることによって電流は減るが、電流の流通抵抗が大きくなるので、発熱は増える傾向にある。つまり、図１５に示すごとく、素線群２の発熱が増え素線群１の発熱が減ることによって、断面内の温度均一化が図れる。
【００２０】
本実施例では、素線群２電流の流通抵抗を素線群１よりも大きくする例を説明したが、素線群１の電流の流通抵抗を素線群２より小さくしても、同様の効果が得られる。本実施例では電流の流通抵抗を大きくする手段として素線群２内の素線幅をすべて一律に小さくしたが、これに限定されるものではなく、例えば材質を変えてもいいし、素線の高さや素線形状，段数を変えることで電流の流通抵抗を変えても良いことは勿論である。
【実施例２】
【００２１】
図３には、本発明の電機子巻線の第２の実施例を示す。本実施例は、水冷却の巻線への適用を示したもので、電流の流通抵抗を変える手段として、素線群２内の素線幅（素線断面積）をすべて一律に素線群１内の素線幅（素線断面積）より小さくした例である。素線群２内の素線断面積が素線群１内の素線断面積より小さくなることにより、素線群１内の素線１１などと素線群２内の素線２１等が作る閉ループの電流の流通抵抗が大きくなり、この間を流れる循環電流を低減することができる。また、電流の小さな素線群２の素線断面積を小さくすることで、素線群１と素線群２の電流密度を等価にすることができ、発熱も均一になる。本実施例は水冷却の巻線への適用で、素線１１，１４，２１，２４等は冷却水を通す中空構造になっているため。素線２１，２４等では通水面積が素線１１，１４よりも小さくなり、発熱に応じた水量が取れることからさらに温度が均一化できる。
【実施例３】
【００２２】
図４には、本発明の電機子巻線の第３の実施例を示す。本実施例は、実施例２で説明した構成の電機子巻線１０，２０（以下、上コイル２０，底コイル１０という）をスロット４０内に上下２段に配置した例である。本実施例では、底コイル１０の素線群１０２の素線１２１，１２２等の幅（素線断面積）を素線群１０１の素線１１１，１１２等の幅（素線断面積）より小さくとり、上コイル２０では素線群２０２の素線２２１，２２２等の幅（素線断面積）を素線群２０１の素線２１１，２１２等の幅（素線断面積）より小さくとっている。つまり、上コイル２０と底コイル１０で抵抗の大きな素線の配置をスロット
４０の左右に対して同じ側にとっている。これは、上コイル２０に流れる電流と底コイル１０に流れる電流が同極性で、同一極性の径方向磁束が作用する場合に有効である。
【実施例４】
【００２３】
図５には、本発明の電機子巻線の第４の実施例を示す。本実施例は、実施例１で説明した構成を水冷却の巻線へ適用した電機子巻線１１０，２２０（以下、上コイル２２０，底コイル１１０という）をスロット４０内に配置した例である。本実施例では、底コイル
１１０の素線群１０２の素線１２１，１２２等の幅（素線断面積）を素線群１０１の素線１１１，１１２等の幅（素線断面積）より小さくとり、上コイル２２０では素線群２０１の素線２１１，２１２等の幅（素線断面積）を素線群２０２の素線２２１，２２２等より小さくとっている。つまり、上コイル２２０と底コイル１０で抵抗の大きな素線の配置をスロット４０の左右に対して反対側逆配置にとっている。この構造は、上コイル２２０に流れる電流と底コイル１１０に流れる電流が逆極性で、上コイル２２０と底コイル１１０に作用する径方向磁束が同極性の場合や、上コイル２２０に流れる電流と底コイル１１０に流れる電流が同極性で、作用する径方向磁束が逆極性である場合に有効である。
【実施例５】
【００２４】
図６には、本発明の電機子巻線の第５の実施例を示す。該図に示す実施例では、素線群２の上部と下部のみに中空の素線２１，２４等を配置し、素線群１の構造は実施例２（図３参照）と同様にしている。このような実施例の構造では、発熱量の少ない素線群２の冷却水量を少なくすることができ、発熱量に見合った効率的な冷却が行える。また、素線群２の上部および下部は、図１４に示すように発熱が大きいため、本実施例の構造ではこの部分を集中的に冷却することができ、冷却効率がよくなる。
【実施例６】
【００２５】
図７には、本発明の電機子巻線の第６の実施例を示す。本実施例は、６列素線を使用する電機子巻線への適用例を示したもので、素線群１〜３の３つからなる。この例では、素線群２の素線幅（素線断面積）を素線群１の素線幅（素線断面積）よりも小さく、素線群３の素線幅（素線断面積）を素線群２の素線幅（素線断面積）よりも小さくとっている。このように、素線群の数が増えた場合でも、各素線に流れる循環電流に応じて素線断面積を増減させてやれば、二つの素線群で構成される実施例２と同様の効果を得ることができる。
【実施例７】
【００２６】
図８には、本発明の電機子巻線の第７の実施例を示す。本実施例は一つの素線群から構成された電機子巻線への適用例で、端部での素線配置例を示す。通常の２列コイルでは、図１３に示すように循環電流の影響により、巻線の上部および下部で発熱密度が大きくなる。そこで、本実施例では、発熱の大きな上部の素線１１，１２等、及び下部の素線１ｎ等の断面積を他の（中央部）素線の断面積より小さくしている。つまり、上部及び下部側の素線を通過する電流の流通抵抗を、中央部側の素線を通過する電流の流通抵抗より大きく構成している。このように、上部及び下部の素線の断面積を小さくすることによって、この部分に生じる付加的な損失たとえば、渦電流損を低減することができ、温度を均一化できる。
【実施例８】
【００２７】
図９には、本発明の電機子巻線の第８の実施例を示す。本実施例は、一つの素線群から構成された電機子巻線への適用例で、発熱密度の大きな巻線の上部および下部に集中的に水冷却用の中空の素線１１，１４等を配置して、巻線の上部及び下部の冷却をよくしている。本実施例の構造では、発熱の大きな巻線の上部，下部を集中的に冷却することができ、冷却効率がよくなるとともに温度も均一化できる。
【実施例９】
【００２８】
図１０には、本発明の電機子巻線の第９の実施例を示す。本実施例は、実施例８の視点を変えたもので、巻線の上部のみに集中的に中空の素線１１，１２等を配置している。
３６０°の素線転移では、電機子巻線１０，２０の上側で循環電流がもっとも大きくなる例が多いため、この部分を集中的に冷却することができ、温度の均一化を図ることができる。
【産業上の利用可能性】
【００２９】
本発明によれば、巻線内の循環電流が低減され、局所的に温度の高い部分を生じることがないので、電機子の温度上昇の均一化と温度上昇の低減を図ることができる。
【図面の簡単な説明】
【００３０】
【図１】本発明の電機子巻線が採用されるタービン発電機の概略を示す全体図。
【図２】本発明の電機子巻線の第１の実施例を示す断面図。（実施例１）
【図３】本発明の電機子巻線の第２の実施例を示す断面図。（実施例２）
【図４】本発明の電機子巻線の第３の実施例を示し、スロット内に収納された状態の断面図。（実施例３）
【図５】本発明の電機子巻線の第４の実施例を示し、スロット内に収納された状態の断面図。（実施例４）
【図６】本発明の電機子巻線の第５の実施例を示す断面図。（実施例５）
【図７】本発明の電機子巻線の第６の実施例を示す断面図。（実施例６）
【図８】本発明の電機子巻線の第７の実施例を示す断面図。（実施例７）
【図９】本発明の電機子巻線の第８の実施例を示す断面図。（実施例８）
【図１０】本発明の電機子巻線の第９の実施例を示す断面図。（実施例９）
【図１１】素線群，素線と鎖交磁束の関係を説明するための４列素線を使用した電機子巻線全長のイメージを示す図。
【図１２】図１１における鎖交磁束と循環電流の関連を示す図。
【図１３】従来の２列巻線の断面図及びその構成における電流分布図。
【図１４】従来の４列巻線の断面図及びその構成における電流分布図。
【図１５】本発明の実施例２の巻線断面積及びその構成における電流分布図。
【図１６】従来の電機子巻線の一例を示す断面図。
【図１７】従来の２列巻線における転移の状態を示す部分斜視図。
【図１８】５４０°転移と３６０°転移のそれぞれの状態を示すイメージ図。
【図１９】特許文献２の巻線における転移の状態を示す部分斜視図。
【図２０】従来の４列巻線における転移の状態を示す部分斜視図。
【符号の説明】
【００３１】
１，２，３，１０１，１０２，２０１，２０２…電機子巻線の素線群、４…電機子巻線の主絶縁、１０，２０…電機子巻線、１１，１２，１１１，１１２…素線群１の素線、
２１，２２，２１１，２１２…素線群２の素線、３０…固定子鉄心、４０…スロット、
５０…回転軸、５１…回転子、６０…固定子枠、６１…冷却水入り口流路、６２…冷却水出口流路。
【図１】
2005160261.tif 000003
【図２】
2005160261.tif 000004
【図３】
2005160261.tif 000005
【図４】
2005160261.tif 000006
【図５】
2005160261.tif 000007
【図６】
2005160261.tif 000008
【図７】
2005160261.tif 000009
【図８】
2005160261.tif 000010
【図９】
2005160261.tif 000011
【図１０】
2005160261.tif 000012
【図１１】
2005160261.tif 000013
【図１２】
2005160261.tif 000014
【図１３】
2005160261.tif 000015
【図１４】
2005160261.tif 000016
【図１５】
2005160261.tif 000017
【図１６】
2005160261.tif 000018
【図１７】
2005160261.tif 000019
【図１８】
2005160261.tif 000020
【図１９】
2005160261.tif 000021
【図２０】
2005160261.tif 000022